(57)【要約】【課題】台を用いずに簡単な操作で撮像領域を拡大でき、使い勝手のよい資料提示装置１０を提供すること。また、撮影領域を拡大しても資料以外のものが写し込まれるのを回避して、資料だけを撮像できる資料提示装置１０を提供すること。【解決手段】カメラヘッド１４の撮像レンズから装置設置面２０上の資料までの撮像距離を台座１２を基台１１に倒伏させたときに比べ台座１２を基台１１から起立させたとき、第１支持軸１５と第２支持軸１６の間隔だけ長くすることにより、撮像領域２２を拡大する。カメラヘッド１４の撮像レンズの基台１１の前面１１ａからの距離を長くするとこにより、撮像領域２２を拡大したとき、基台１１の前面１１ａが写し込まれるのを回避する。【選択図】図１
2010178100.tif 000002
【特許請求の範囲】
【請求項１】
基台と、基台から立設した支柱と、支柱先端に取り付けたカメラヘッドを備え、前記支柱は基台から直立する直立部と、直立部から水平に前記基台の前方へ延びる水平部を有し、水平部の先端に前記カメラヘッドを設け、装置設置面に置かれた資料を前記カメラヘッドで撮像するように構成した資料提示装置であって、
前記基台に台座を、基台から起立する起立位置と基台に倒伏する倒伏位置との間で左右方向へ回動可能に第１支持軸で組み付け、
前記台座の反第１支持軸側端部に第２支持軸を基台前面から前方へ突出して設け、
前記直立部の基部を、基台に倒伏した台座から直立する位置と基台から起立した台座から直立する位置との間で回動可能に前記第２支持軸で台座に組み付けたことを特徴とする資料提示装置。
【請求項２】
前記基台に前記台座を格納する格納凹部を形成し、前記台座が倒伏位置で該格納凹部に格納され、起立位置で格納凹部から起立するように構成したことを特徴とする請求項１に記載の資料提示装置。
【請求項３】
前記格納凹部として基台の前端部の左右いずれか一方の角隅部に切欠部を形成したことを特徴とする請求項２に記載の資料提示装置。
【請求項４】
前記水平部を前記直立部に並列する位置へ回動可能に第３支持軸で直立部に組み付けるとともに、前記直立部を格納凹部に倒伏した台座から基台の前面に並列する位置へ回動可能に前記第２支持軸で前記台座に組み付けたことを特徴とする請求項３に記載の資料提示装置。
【請求項５】
基台の上面と、格納凹部に倒伏したときの台座の上面と、格納凹部に倒伏した台座から基台の前面に並列する位置へ回動させた直立部の上面と、格納凹部に倒伏した台座から基台の前面に並列する位置へ回動させた直立部に並列する位置へ回動させた水平部の上面が略面一となり、かつそのときの基台と、台座と、直立部及び水平部の各下面が面一となるように構成したことを特徴とする請求項４に記載の資料提示装置。
【請求項６】
基台と、基台から立設した支柱と、支柱先端に取り付けたカメラヘッドを備え、前記支柱は基台から直立する直立部と、直立部から水平に前記基台の前方へ延びる水平部を有し、水平部の先端に前記カメラヘッドを設け、装置設置面に置かれた資料を前記カメラヘッドで撮像するように構成した資料提示装置であって、
前記基台に台座を、基台から起立する起立位置と基台に倒伏する倒伏位置との間で前後方向へ回動可能に第１支持軸で組み付け、
前記台座の反第１支持軸側端部に第２支持軸を設け、
前記直立部の基部を、基台に倒伏した台座から直立する位置と基台から起立した台座から直立する位置との間で回動可能に前記第２支持軸で台座に組み付けたことを特徴とする資料提示装置。
【請求項７】
前記基台に前記台座を格納する格納凹部を形成し、前記台座が倒伏位置で該格納凹部に格納され、起立位置で格納凹部から起立するように構成したことを特徴とする請求項６に記載の資料提示装置。
【請求項８】
前記格納凹部として基台の中央部に切欠部を形成したことを特徴とする請求項７に記載の資料提示装置。
【請求項９】
前記水平部を前記直立部に並列する位置へ回動可能に第３支持軸で直立部に組み付けるとともに、前記直立部を格納凹部に倒伏した台座から基台前方又は後方へ水平に延びる位置へ回動可能に前記第２支持軸で前記台座に組み付けたことを特徴とする請求項８に記載の資料提示装置。
【発明の詳細な説明】
【技術分野】
【０００１】
本発明は、基台に立設した支柱の先端部にカメラヘッドを設け、基台の前方に置いた書類や模型等の資料をカメラヘッドで撮像し、撮像をモニターテレビで再生したり、ビデオプロジェクターでスクリーンに投影する資料提示装置に関する。
【背景技術】
【０００２】
資料提示装置の一形式として、特開２００８−１９３３９１号公報には、図１５及び図１６に示すように基台１０１から支柱１０２を立設し、この支柱１０２先端にカメラヘッド１０３を取り付けた資料提示装置１００が開示されている。
【０００３】
この資料提示装置１００では、支柱１０２が基台１０１から直立する直立部１０２ａと、直立部１０２ａから連続して水平に基台１０１の前方へ延びる水平部１０２ｂを有し、水平部１０２ｂの先端にカメラヘッド１０３を設けている。そして、資料を基台１０１の前面に近接するように装置設置面上に置き、カメラヘッドの撮像レンズ１０４で資料を撮像する。
【先行技術文献】
【特許文献】
【０００４】
【特許文献１】特開２００８−１９３３９１号公報
【発明の概要】
【発明が解決しようとする課題】
【０００５】
上記した従来の資料提示装置１００では、資料のサイズがカメラヘッド１０３の撮像領域より大きい場合、資料提示装置１００とは別の台２００を用い、この台２００に資料提示装置１００を乗せて資料を撮像している。資料提示装置１００を台２００に乗せることによりカメラヘッドの撮像レンズ１０４から資料までの撮影距離が台２００を用いない場合に比べて延びるので、その分カメラヘッド１０３の撮像領域２０１を拡大できる。
【０００６】
しかし、従来の資料提示装置１００は、資料提示装置１００とは別に資料提示装置１００を乗せることができる台２００を用意しなければ撮像領域を拡大できないので、使い勝手が悪い。
また、資料提示装置１００を台２００に乗せて撮像領域２０１を拡大すると、図１６に示すように台２００の前端部までも撮像領域２０１に含まれるので、台２００の前端部が写し込まれてしまうという不都合が生じる。
【０００７】
本発明はかかる問題点に鑑み、台を用いずに簡単な操作で撮像領域を拡大でき、使い勝手のよい資料提示装置を提供することを目的とする。
また、撮影領域を拡大しても資料以外のものが写し込まれるのを回避して、資料だけを撮像できる資料提示装置を提供することを目的とする。
【課題を解決するための手段】
【０００８】
請求項１に記載の発明は、基台と、基台から立設した支柱と、支柱先端に取り付けたカメラヘッドを備え、前記支柱は基台から直立する直立部と、直立部から水平に前記基台の前方へ延びる水平部を有し、水平部の先端に前記カメラヘッドを設け、装置設置面に置かれた資料を前記カメラヘッドで撮像するように構成した資料提示装置であって、前記基台に台座を、基台から起立する起立位置と基台に倒伏する倒伏位置との間で左右方向へ回動可能に第１支持軸で組み付け、前記台座の反第１支持軸側端部に第２支持軸を基台前面から前方へ突出して設け、前記直立部の基部を、基台に倒伏した台座から直立する位置と基台から起立した台座から直立する位置との間で回動可能に前記第２支持軸で台座に組み付けたことを特徴とする。
【０００９】
請求項２に記載の発明は、請求項１に記載の資料提示装置において、前記基台に前記台座を格納する格納凹部を形成し、前記台座が倒伏位置で該格納凹部に格納され、起立位置で格納凹部から起立するように構成したことを特徴とする。
【００１０】
請求項３に記載の発明は、請求項２に記載の資料提示装置において、前記格納凹部として基台の前端部の左右いずれか一方の角隅部に切欠部を形成したことを特徴とする。
【００１１】
請求項４に記載の発明は、請求項３に記載の資料提示装置において、前記水平部を前記直立部に並列する位置へ回動可能に第３支持軸で直立部に組み付けるとともに、前記直立部を格納凹部に倒伏した台座から基台の前面に並列する位置へ回動可能に前記第２支持軸で前記台座に組み付けたことを特徴とする。
【００１２】
請求項５に記載の発明は、請求項４に記載の資料提示装置において、基台の上面と、格納凹部に倒伏したときの台座の上面と、格納凹部に倒伏した台座から基台の前面に並列する位置へ回動させた直立部の上面と、格納凹部に倒伏した台座から基台の前面に並列する位置へ回動させた直立部に並列する位置へ回動させた水平部の上面が略面一となり、かつそのときの基台と、台座と、直立部及び水平部の各下面が面一となるように構成したことを特徴とする。
【００１３】
請求項６に記載の発明は、基台と、基台から立設した支柱と、支柱先端に取り付けたカメラヘッドを備え、前記支柱は基台から直立する直立部と、直立部から水平に前記基台の前方へ延びる水平部を有し、水平部の先端に前記カメラヘッドを設け、装置設置面に置かれた資料を前記カメラヘッドで撮像するように構成した資料提示装置であって、前記基台に台座を、基台から起立する起立位置と基台に倒伏する倒伏位置との間で前後方向へ回動可能に第１支持軸で組み付け、前記台座の反第１支持軸側端部に第２支持軸を設け、前記直立部の基部を、基台に倒伏した台座から直立する位置と基台から起立した台座から直立する位置との間で回動可能に前記第２支持軸で台座に組み付けたことを特徴とする。
【００１４】
請求項７に記載の発明は、請求項６に記載の資料提示装置において、前記基台に前記台座を格納する格納凹部を形成し、前記台座が倒伏位置で該格納凹部に格納され、起立位置で格納凹部から起立するように構成したことを特徴とする。
【００１５】
請求項８に記載の発明は、請求項７に記載の資料提示装置において、前記格納凹部として基台の中央部に切欠部を形成したことを特徴とする。
【００１６】
請求項９に記載の発明は、請求項８に記載の資料提示装置において、前記水平部を前記直立部に並列する位置へ回動可能に第３支持軸で直立部に組み付けるとともに、前記直立部を格納凹部に倒伏した台座から基台前方又は後方へ水平に延びる位置へ回動可能に前記第２支持軸で前記台座に組み付けたことを特徴とする。
【発明の効果】
【００１７】
請求項１に記載の発明によれば、カメラヘッドから装置設置面上の資料までの撮像距離が台座を基台に倒伏させたときに比べ台座を基台から起立させたとき、第１支持軸と第２支持軸の間隔だけ長くなるので、台座を基台前方へ回動させて起立させることにより撮像領域を拡大できる。
しかして、直立部の基部が組み付けられる第２支持軸を基台前面から前方へ突出して設けたので、カメラヘッドの基台前面からの距離も長くなる。
そのため撮像領域を拡大したとき、基台の前面が写し込まれるのを回避できる。
【００１８】
請求項２に記載の発明によれば、台座を格納凹部に倒伏できるので、装置の形態がコンパクトになる。
【００１９】
請求項３に記載の発明によれば、基台の角隅に形成した切欠部に台座を倒伏して格納できるので、装置の形態がより一層コンパクトになる。
【００２０】
請求項４に記載の発明によれば、台座を切欠部に倒伏させ、直立部を倒伏した台座から基台の前面に並列する位置へと回動し、さらに水平部を直立部に並列する位置まで回動させることができるので、装置をコンパクトに折り畳むことができる。
【００２１】
請求項５に記載の発明によれば、装置を折り畳んだとき、台座、直立部及び水平部の上面が基台の上面と略面一になり、かつ台座、直立部及び水平部の下面が基台の下面と略面一になるので、より一層コンパクトに装置を折り畳むことができる。
【００２２】
請求項６に記載の発明によれば、カメラヘッドから装置設置面上の資料までの撮像距離が台座を基台に倒伏させたときに比べ台座を基台から起立させたとき、第１支持軸と第２支持軸の間隔だけ長くなるので、台座を起立させることにより撮像領域を拡大できる。
しかして、台座を基台前方へ回動させて起立することにより、カメラヘッドの基台前面からの距離も長くなる。
そのため撮像領域を拡大したとき、基台の前面が写し込まれるのを回避できる。
【００２３】
請求項７に記載の発明によれば、台座を格納凹部に倒伏できるので、装置の形態がコンパクトになる。
【００２４】
請求項８に記載の発明によれば、基台の中央部に形成した切欠部に台座を倒伏して格納できるので、装置の形態がより一層コンパクトになる。
【００２５】
請求項９に記載の発明によれば、台座を格納部に倒伏させ、倒伏した台座から直立部を基台前方又は後方へ水平に延ばし、その直立部に水平部を倒伏させることができるので、装置をより一層コンパクトに折り畳むことができる。
【図面の簡単な説明】
【００２６】
【図１】本発明の第１実施例に係る資料提示装置の台座を起立させた斜視図である。
【図２】同資料提示装置の台座を倒伏させた斜視図である。
【図３】同資料提示装置の折り畳んだ斜視図である。
【図４】同資料提示装置の台座を倒伏させた側面図である。
【図５】同資料提示装置の台座を倒伏させた平面図である。
【図６】同資料提示装置の台座を起立させた側面図である。
【図７】同資料提示装置の台座を起立させた平面図である。
【図８】本発明の第２実施例に係る資料提示装置の台座を起立させた斜視図である。
【図９】同資料提示装置の台座を倒伏させた斜視図である。
【図１０】同資料提示装置の台座を起立させた側面図である。
【図１１】同資料提示装置の台座を起立させた平面図である。
【図１２】同資料提示装置の台座を倒伏させた側面図である。
【図１３】同資料提示装置の台座を倒伏させた平面図である。
【図１４】同資料提示装置の折り畳んだ斜視図である。
【図１５】従来の資料提示装置を示す斜視図である。
【図１６】従来の資料提示装置を示す側面図である。
【実施例１】
【００２７】
以下に本発明を図面に基づき説明するに、図１、図２及び図３には本発明の第１実施例に係る資料提示装置１０が示されている。当該資料提示装置１０は基台１１、台座１２、支柱１３及びカメラヘッド１４を備えている。
基台１１は平面形状が略横長長方形で前面１１ａの左角隅部に台座を収納するための格納凹部として切欠部１１ｂが形成されている。基台１１の内部には制御回路ユニットが内蔵されている。また、基台１１の背面にはテレビモニターやビデオプロジェクターと装置１０を接続するための各種端子が配設されている。
【００２８】
台座１２は第１支持軸１５によって図１に示すように基台１１の切欠部１１ｂから起立する位置と、図２及び図３に示すように切欠部１１ｂに倒伏する位置との間で左右方向へ回動可能に第１支持軸１５によって基台１１の前部角隅部に組み付けられている。
【００２９】
支柱１３は中空構造を有し、直立部１３ａと直立部１３ａの上端部から基台１１の前方へ水平に延びる水平部１３ｂから構成され、内部には基台１１に内蔵された制御回路ユニットとカメラヘッド１４を接続するワイヤーハーネスが挿通されている。
【００３０】
支柱１３の直立部１３ａは台座１２の反第１支持軸１５側端部に設けた第２支持軸１６によって台座１２に組み付けられている。この第２支持軸１６は台座１２の前端面１２ａから基台１１の前面１１ａの前方に突出して設けられている。直立部１３ａの基部１３ｃが第２支持軸１６によって基台１１の前面１１ａの直前に位置し、前面１１ａから前方へ突出するように台座１２に組み付けられている。また、直立部１３ａは第２支持軸１６によって、図１に示すように切欠部１１ｂから起立した台座１２から直立する位置と、図２に示すように切欠部１１ｂに倒伏した台座１２から直立する位置、及び図３に示すように、切欠部１１ｂに倒伏した台座１２から基台１１の前面１１ａと並列する位置との間で回動可能に台座に組み付けられている。
【００３１】
支柱１３の水平部１３ｂは直立部１３ａの上端部に第３支持軸１７によって、図１及び図２に示すように直立部に対して直交するように水平に基台前面１１ａの前方へ延びる水平位置と、図３に示すように直立部１３ａに並列する並列位置との間で回動可能に組み付けられている。
【００３２】
カメラヘッド１４は直方体のハウジング１４ａを有し、このハウジング１４ａが水平部１３ｂと整列するように水平部１３ｂの前端部に連結固定され前方へ延びている。ハウジング１４ａの前端部下面に撮像レンズを組み込んだレンズ鏡筒１４ｂが垂設され、ハウジング１４ａの内部にはカメラ制御回路が内蔵されている。
なお、カメラヘッド１４の重みで装置１０が基台１１の前方へ傾倒するのを防止するため基台１１内部には所要重量のバランサーが内蔵されている。
【００３３】
本実施例に係る資料提示装置１０の構造は以上の通りであって、以下にその使用方法を説明する。図２、図４及び図５に示すように、切欠部１１ｂに倒伏した台座１２から支柱１３の直立部１３ａを直立させ、水平部１３ｂを基台１１の前方へ水平に延ばす。そして、装置設置面２０（図４参照）に資料を置き、撮像領域２１に資料が収まるように資料の位置を調整する。
【００３４】
資料のサイズが大きく、撮像レンズの画角を最広角に設定しても資料の全体を撮像できないような場合、図１、図６及び図７に示すように台座１２を切欠部１１ｂから起立させ、この台座１２から直立部１３ａを直立させる。この操作によって装置設置面２０と最広角に設定した撮像レンズとの距離が第１支持軸１５と第２支持軸１６との間隔Ｈだけ長くなるので、撮像領域２２を拡大できる。
【００３５】
資料提示装置１０は、使用しないとき図３に示すように台座１２を切欠部１１ｂに倒伏させ、支柱１３の直立部１３ａを基台１１の前面１１ａに並列させ、さらに水平部１３ｂを直立部１３ａに並列させることでコンパクトに折り畳むことができる。そして、装置１０を図３に示すように折り畳んだとき、基台１１の上面１１ｃと、切欠部１１ｂに倒伏したときの台座１２の上面１２ｂと、切欠部１１ｂに倒伏した台座１２から基台１１の前面１１ａに並列する位置へ回動させた直立部１３ａの上面１３ｄと、切欠部１１ｃに倒伏した台座１２から基台１１の前面１１ａに並列する位置へ回動させた直立部１３ａに並列する位置へ回動させた水平部１３ｂの上面１３ｅが略面一となり、かつそのときの基台１１と、台座１２と、直立部１３ａ及び水平部１３ｂの各下面が面一となるように各部の形状寸法が設定されている。
【００３６】
以上説明したように、本実施例に係る資料提示装置１０は、カメラヘッド１４の撮像レンズから装置設置面２０上の資料までの撮像距離が台座１２を基台１１の切欠部１１ｂに倒伏させたときに比べ台座１２を基台１１の切欠部１１ｂから起立させたとき、第１支持軸１５と第２支持軸１６の間隔Ｈだけ長くなるので、台座１２を起立させることにより撮像領域２２を拡大できる。
【００３７】
しかして、直立部１３ａの基部１３ｃが組み付けられる第２支持軸１６を基台１１の前面１１ａから前方へ突出して設けたので、カメラヘッド１４の撮像レンズの基台１１の前面１１ａからの距離も長くなる。そのため撮像領域２２を拡大したとき、基台１１の前面１１ａが写し込まれるのを回避できる。
【００３８】
また、装置１０を折り畳んだとき、台座１２、直立部１３ａ及び水平部１３ｂの上面１２ｂ，１３ｄ，１３ｅが基台１１の上面１１ｃと略面一になり、かつ台座１２、直立部１３ａ及び水平部１３ｂの下面が基台１１の下面と略面一になるので、より一層コンパクトに装置１０を折り畳むことができる。
【実施例２】
【００３９】
次に、図８〜図１３に本発明の第２実施例に係る資料提示装置３０を示す。当該資料提示装置３０は基台３１、台座３２、支柱３３及びカメラヘッド３４を備えている。基台３１は平面形状が略縦長長方形で中央部に台座３２を収納するための格納凹部として基台３１の後端面に達する切欠部３１ｂが形成されている。
【００４０】
台座３２は図８、図１０及び図１１に示すように基台３１の切欠部３１ｂから起立する位置と、図９、図１２及び図１３に示すように切欠部３１ｂに倒伏する位置との間で前後方向へ回動可能に第１支持軸３５によって基台３１の中央部に組み付けられている。
【００４１】
支柱３３は直立部３３ａと直立部３３ａの上端部から基台３１の前方へ水平に延びる水平部３３ｂから構成されている。
【００４２】
支柱３３の直立部３３ａは台座３２の反第１支持軸３５側端部に設けた第２支持軸３６によって台座３２に組み付けられている。直立部３３ａはこの第２支持軸３６によって、図８、図１０及び図１１に示すように切欠部３１ｂから起立した台座３２から直立する位置と、図９、図１２及び図１３に示すように切欠部３１ｂに倒伏した台座３２から直立する位置、及び図１４に示すように、切欠部３１ｂに倒伏した台座３２から基台３１の後方へ水平に延びる位置の間で前後方向へ回動可能に台座３２に組み付けられている。
【００４３】
支柱３３の水平部３３ｂは直立部３３ａの上端部に第３支持軸３７によって、図８〜図１３に示すように直立部３３ａに対して直交するように水平に基台３１の前面３１ａの前方へ延びる水平位置と、図１４に示すように直立部３３ａに並列する並列位置との間で回動可能に組み付けられている。
【００４４】
カメラヘッド３４は直方体のハウジング３４ａを有し、このハウジング３４ａが水平部３３ｂと整列するように水平部３３ｂの前端部に連結固定され前方へ延びている。ハウジング３４ａの前端部下面に撮像レンズを組み込んだレンズ鏡筒３４ｂが垂設されている。
【００４５】
本実施例に係る資料提示装置３０の構造は以上の通りであって、図９、図１２、図１３に示すように、切欠部３１ｂに倒伏した台座３２から支柱３３の直立部３３ａを直立させ、水平部３３ｂを基台３１の前方へ水平に延ばす。そして、装置設置面４０に資料を置き、撮像領域４１に資料が収まるように資料の位置を調整する。
【００４６】
資料のサイズが大きく、撮像レンズの画角を最広角に設定しても資料の全体を撮像できないような場合、図８、図１０及び図１１に示すように台座３２を切欠部３１ｂから起立させ、この台座３２から直立部３３ａを直立させる。この操作によって装置設置面４０と最広角に設定した撮像レンズとの距離が第１支持軸３５と第２支持軸３６との間隔Ｈだけ長くなるので、撮像領域４２を拡大できる。
【００４７】
資料提示装置３０は、使用しないとき図１４に示すように台座３２を切欠部３１ｂに倒伏させ、支柱３３の直立部３３ａを基台３１の後方へ水平に延ばし、さらに水平部３３ｂを直立部３３ａに並列に折り畳む。
【００４８】
以上説明したように本実施例に係る資料提示装置３０によれば、カメラヘッド３４から装置設置面４０上の資料までの撮像距離が台座３２を基台３１に倒伏させたときに比べ台座３２を基台３１から起立させたとき、第１支持軸３５と第２支持軸３６の間隔だけ長くなるので、台座３２を起立させることにより撮像領域４２を拡大できる。そして、台座３２を基台３１の前方へ回動させて起立させるので、カメラヘッド３４の基台３１の前面３１ａからの距離も長くなる。そのため撮像領域４２を拡大したとき、基台３１の前面３１ａが写し込まれるのを回避できる。
【符号の説明】
【００４９】
１０，３０…資料提示装置
１１，３１…基台
１１ａ，３１ａ…基台前面
１１ｂ，３１ｂ…切欠部（格納凹部）
１１ｃ…基台上面
１２，３２…台座
１２ａ…台座前面
１２ｂ…台座上面
１３，３３…支柱
１３ａ，３３ａ…直立部
１３ｂ，３３ｂ…水平部
１３ｃ…支柱基部
１３ｄ…直立部上面
１４，３４…カメラヘッド
１４ａ，３４ａ…ハウジング
１４ｂ，３４ｂ…レンズ鏡胴
１５，３５…第１支持軸
１６，３６…第２支持軸
１７，３７…第３支持軸
２０，４０…装置設置面
２１，２２，４１，４２…撮像領域
【図１】
2010178100.tif 000003
【図２】
2010178100.tif 000004
【図３】
2010178100.tif 000005
【図４】
2010178100.tif 000006
【図５】
2010178100.tif 000007
【図６】
2010178100.tif 000008
【図７】
2010178100.tif 000009
【図８】
2010178100.tif 000010
【図９】
2010178100.tif 000011
【図１０】
2010178100.tif 000012
【図１１】
2010178100.tif 000013
【図１２】
2010178100.tif 000014
【図１３】
2010178100.tif 000015
【図１４】
2010178100.tif 000016
【図１５】
2010178100.tif 000017
【図１６】
2010178100.tif 000018